(57)【要約】【課題】  自由な姿勢で長時間に渡り画像を見ることができる表示装置を提供する。【解決手段】  表示装置１は、ドーナツ形の把持部２と、表示部３との間に手指が挿入可能な空隙を有するように把持部２の内側に複数の接合部４によって保持される表示部３とを備える。この表示装置１は、手指により把持部２を握った状態で表示部３に表示された画像を見るので、疲労しにくく自由な姿勢でドキュメントの閲覧をすることができる。【選択図】    図１
2005331668.tif 000002
【特許請求の範囲】
【請求項１】
画像を表示するフラット型の表示部と、
前記表示部との間に手指が挿入可能な空隙を有するように前記表示部の異なる向きに設けられた複数の把持部とを備えることを特徴とする表示装置。
【請求項２】
前記表示部は、矩形状を有し、
前記把持部は、前記表示部の前記矩形状を形成する辺あるいはその近傍にそれぞれ設けられたことを特徴とする請求項１記載の表示装置。
【請求項３】
前記把持部は、ドーナツ状を有し、その中心に前記表示部が位置するように前記表示部を保持したことを特徴とする請求項１記載の表示装置。
【請求項４】
前記把持部は、前記表示部の内部に収納することができ、前記表示部から手指が挿入可能な前記空隙を形成する位置まで引出し可能に設けられたことを特徴とする請求項１記載の表示装置。
【請求項５】
前記表示部は、前記把持部と係合する係合部を有し、
前記把持部は、前記係合部と着脱可能に係合する被係合部を有することを特徴とする請求項１記載の表示装置。
【請求項６】
前記把持部は、その厚さが前記表示部の厚さより厚く、前記把持部を平坦面に載置したときに、前記表示部が前記平坦面に接しない位置に設けられたことを特徴とする請求項１記載の表示装置。
【請求項７】
前記表示部は、座標の入力および前記画像の表示が可能な画面を有することを特徴とする請求項１記載の表示装置。
【請求項８】
前記把持部は、前記表示部の辺あるいはその近傍に回動可能に設けられ、回動操作によって前記表示部の背面側に収納されることを特徴とする請求項１記載の表示装置。
【請求項９】
前記把持部は、手指が挿入可能な前記空隙を有し、前記表示部の辺あるいはその近傍に回動可能に設けられ、回動操作によって前記表示部の表示面側に収納されて前記表示面を保護する保護カバーであることを特徴とする請求項１記載の表示装置。
【請求項１０】
前記把持部は、手指が挿入可能な前記空隙を有し、前記表示部の表示面側をスライド可能に設けられ、スライド操作によって前記表示部の表示面側に収納されて前記表示面を保護する保護カバーであることを特徴とする請求項１記載の表示装置。
【請求項１１】
前記把持部は、弾性材料からなることを特徴とする請求項１記載の表示装置。
【発明の詳細な説明】
【技術分野】
【０００１】
本発明は、画像を表示するフラット型の表示部を有する表示装置に関し、特に、自由な姿勢で長時間に渡り画像を見ることができる表示装置に関する。
【背景技術】
【０００２】
近年、タブレットＰＣ（パーソナルコンピュータ）と呼ばれるフラットパネル形状のＰＣが開発されている。この従来のタブレットＰＣは、例えば、全体形状が厚さ１０ｍｍ以上もある直方体状であり、一つの面に画像を表示する画像表示部と、各種操作を行う操作部とを備えたものが知られている。この従来のタブレットＰＣによれば、ユーザがそのタブレットＰＣを机上に置いたり、手で持ったり、膝の上に置いて画像表示部に表示される画像を見ることができる。
【０００３】
また、他の従来の表示装置として、見開き２面に画像を表示する表示部を備えた電子書籍用端末が提案されている（例えば、特許文献１参照。）。
【０００４】
特許文献１に記載された電子書籍用端末は、直方体形状の筐体に組み込んだ表示部を２つ組み合わせ、見開き２面に画像を表示するものである。この電子書籍用端末によれば、見開き２面に画像を表示できるため、多くの表示情報を提供することができる。
【特許文献１】特開２０００−３５３１７０号公報（図１）
【発明の開示】
【発明が解決しようとする課題】
【０００５】
しかし、従来のタブレットＰＣおよび従来の電子書籍用端末は、直方体形状の筐体を有するため、自由な姿勢で画像の閲覧をする場合には、長時間手に持って画像を閲覧するには持ちにくいので、筐体を保持する手指に無理な負担がかかったり、床に落として表示部のガラス等を破損してしまう等の問題があった。
【０００６】
従って、本発明の目的は、自由な姿勢で長時間に渡り画像を見ることができる表示装置を提供することにある。
【課題を解決するための手段】
【０００７】
本発明は、上記目的を達成するため、画像を表示するフラット型の表示部と、前記表示部との間に手指が挿入可能な空隙を有するように前記表示部の異なる向きに設けられた複数の把持部とを備えることを特徴とする表示装置を提供する。
【発明の効果】
【０００８】
本発明の表示装置によれば、空隙部に手指を挿入して把持部を手指で容易につかむことができるため、長時間に渡りドキュメント等の画像の閲覧をすることができる。また、複数の把持部を表示部の異なる向きに設けたので、閲覧するドキュメントの向きに応じて表示部を読みやすい姿勢に安定させることができ、また、疲労しにくく、自由な姿勢で画像を見ることができる。
【発明を実施するための最良の形態】
【０００９】
［第１の実施の形態］
図１は、本発明の第１の実施の形態に係る表示装置を示し、（ａ）は、平面図、（ｂ）は、（ａ）のＡ−Ａ線に沿う断面図である。
【００１０】
この表示装置１は、ドーナツ状を有する把持部２と、この把持部２の内側に複数の接合部４を介して保持された縦長の表示部３と、把持部２に着脱可能に設けられ、表示部３に表示されるカーソルの移動、選択等の操作を行うためのトラックボール５１およびマウスボタン５２を有する第１の操作部５と、閲覧しているドキュメントのページめくりやスクロールを指示する十文字キー６１を有する第２の操作部６と、表示部３に設けられた電源スイッチ７とを備える。また、この表示装置１は、表示部３に後述するタッチパネル３２を操作するためのタッチパネル用ペン８を備える。
【００１１】
把持部２は、手指で握りやすいような外径（例えば、直径３０ｍｍ）を有し、軽量化のため、断面形状が中空構造となっており、アルミニウム，樹脂等から形成されている。把持部２の表面に、微小な凹凸や多孔を有するゴムやウレタン樹脂等からなる柔軟層を形成している。また、把持部２は、表示部３との間に手指を挿入することができる空隙を備える。本実施の形態において、把持部２の左右側に第１および第２の操作部５，６を設けたが、把持部２の上下側に設けることもできる。
【００１２】
把持部２の厚さは、表示部３の厚さよりも厚く形成されている。すなわち、この表示装置１を平坦面の上に載置したときに、表示部３が平坦面に当接しないように、表示部３の外端面は、把持部２の外端面よりも内側に構成されている。
【００１３】
表示部３は、接合部４により把持部２に固定された筐体３１と、入力部としてのタッチパネル３２と、画像を表示する表示部としてのＬＣＤ（液晶ディスプレイ）３３と、画像の表示制御を行う制御基板３５と、蛍光管３６と、蛍光管３６による発光光を導光してＬＣＤ３３のバックライトとする導光板３４とを備える。なお、蛍光管３６の代わりに、冷陰極管、白色ＬＥＤ（発光ダイオード）、ＥＬ（エレクトロミネッセンス）等を用いることができる。
【００１４】
制御基板３５は、プリント基板上に、この表示装置１全体を制御するＣＰＵ、画像を記憶するメモリ等を搭載したものである。
【００１５】
タッチパネル３２は、例えば、抵抗膜方式（感圧方式）であり、ガラス面上に透明電極、スペーサ、透明電極、および最上面にフィルムを積層してなるものである。フィルム上を指またはタッチパネル用ペン８により押圧することにより、２枚の透明電極間が導通し、その点の座標が入力され、各種の選択を行うことができるように構成されている。
【００１６】
なお、座標入力構造として上記抵抗膜方式（感圧方式）の外に、電磁誘導方式，静電結合方式，超音波表面弾性波方式，赤外線遮光方式等を用いてもよい。
【００１７】
（配置の変更）
図２は、表示装置１の配置例を示す。この表示装置１は、表示部３を横長に配置し、第１および第２の操作部５，６の位置を同図に示すように変更できるように構成されている。この場合、画像の向きを操作部５，６の操作によって変更できるようにしてもよい。
【００１８】
（表示装置の動作）
次に、この表示装置１の動作を説明する。まず、ユーザは、両手で把持部２を握りながら、電源スイッチ７を押下すると、制御基板３５のＣＰＵは、ＬＣＤ３３に初期画像を表示させる。次に、ユーザがタッチパネル３２の操作、またはトラックボール５１およびマウスボタン５２の操作により必要な画面を選択すると、ＣＰＵは選択された画像をＬＣＤ３３に表示させる。また、ＣＰＵは、表示させた画像を十文字キー６１により所望の方向に移動させる。
【００１９】
第１の実施の形態によれば、下記の効果を奏する。
（イ）ドーナツ形の把持部２の内側に複数の接合部４を介して表示部３が保持されるため、表示部３への周囲方向からの衝撃をどの方向からも吸収することができる。
（ロ）表示部３の外端面は、把持部２の外端面よりも内側に構成されているため、表示部３を平坦面の上に載置しても、表示部３は平坦面に当接しないので、表示部３を傷付けにくい。そのため、長期に渡って表示装置を使用することができる。
（ハ）把持部２の表面に微小な凹凸や多孔を有する柔軟層を形成したため、使用時、使用者の握り手の発汗が生じても、滑ることなく把持部２を把持することができる。また、柔軟層は衝撃を吸収するため、表示部３に対する機械的衝撃から保護することができる。
（ニ）表示装置１は、把持部２と表示部３との間に手指が挿入できる間隙を有しているため、把持部２を握るだけでなく、指に引っ掛けることにより、この表示装置１を閲覧することができるので、自由な姿勢でドキュメントの閲覧をすることができる。また、表示部３の異なる向きに４箇所の把持部２を設けたので、閲覧するドキュメントの向きに応じて表示部を読みやすい姿勢に安定させることができる。
【００２０】
［第２の実施の形態］
図３は、本発明の第２の実施の形態に係る表示装置を示す。この表示装置１は、第１の実施の形態とは、把持部２が楕円形状に形成された点において異なり、他の点については第１の実施の形態と同様である。なお、第１および第２の操作部５，６の図示は省略するが、第１の実施の形態と同様に把持部２に着脱可能に構成されている。
【００２１】
第２の実施の形態によれば、第１の実施の形態の効果に加えて、把持部２を楕円形状に形成することにより、把持部２がドーナツ状を有するものに比べて表示装置１を楕円の短手方向に小型化することができる。
【００２２】
［第３の実施の形態］
図４は、本発明の第３の実施の形態に係る表示装置を示し、（ａ）は、分離状態の把持部および表示部をそれぞれ示す平面図、（ｂ）は、それらの組立状態を示す平面図、（ｃ）は、（ｂ）のＢ−Ｂ線に沿う断面図である。なお、第１および第２の操作部５，６の図示は省略するが、第１の実施の形態と同様に把持部２に着脱可能に構成されている。
【００２３】
この表示装置１は、第１の実施の形態とは、表示部３を把持部２に着脱可能とした点において異なり、他の点については第１の実施の形態と同様である。すなわち、把持部２は、その適宜個所に被係合部としての係合穴４ａを有する接合部４を備える。表示部３は、例えば、取り替え自在な第１〜第３の表示部３Ａ〜３Ｃからなり、第１〜第３の表示部Ａ〜３Ｃは、係合穴４ａに対応する係合面３１ｂに係合部３１ａを有する。接合部４および係合部３１ａは、可撓性を有する材質により形成する。
【００２４】
例えば、第１の表示部３Ａを把持部２に係合するには、まず、図４（ａ）に示す上方側の接合部４の係合穴４ａに第１の表示部３Ａの上方に形成された係合部３１ａ、３１ａを挿入し、次いで、係合部３１ａおよび接合部４が有する可撓性に抗して、下方側の係合部３１ａを下方の接合部４の係合穴４ａに挿入する。第１の表示部３Ａから把持部２を取り外すには、係合部３１ａおよび係合穴４ａの有する可撓性に抗して係合穴４ａから係合部３１ａを取り外す方向に引張り、係合穴４ａと第１の係合部３１ａとの係合を解く。
【００２５】
第３の実施の形態によれば、第１の実施の形態の効果に加えて、表示部３を着脱可能とするため、表示部３の表示内容や表示対象ごとに表示部３を取り替えることができる。
【００２６】
［第４の実施の形態］
図５は、本発明の第４の実施の形態に係る表示装置を示す。この表示装置１は、第１の実施の形態とは、表示部３が横長に配置され、表示部３の画面が仕切り４０により分割され、第１および第２の表示部３Ｄ，３Ｅの２つを有する点において異なり、他の点については第１の実施の形態と同様である。なお、第１および第２の操作部５，６の図示は省略するが、第１の実施の形態と同様に把持部２に着脱可能に構成されている。
【００２７】
第４の実施の形態によれば、第１の実施の形態の効果に加えて、表示部３の画面を２つ有するため、同時に２種類の情報を見ることができるので、例えば、電子書籍等を読む場合に適する。
【００２８】
［第５の実施の形態］
図６は、本発明の第５の実施の形態に係る表示装置を示す。この表示装置１は、第１の実施の形態の把持部２を弧状にしたものである。なお、第１および第２の操作部５，６の図示は省略するが、把持部２に着脱可能に設けてもよく、筐体３１に着脱可能に設けてもよい。このように、把持部２が弧状を有するため、持ちやすく、取り扱いやすい。
【００２９】
［第６の実施の形態］
図７は、本発明の第６の実施の形態に係る表示装置を示す。この表示装置１は、第１の実施の形態の把持部２を矩形状にしたものである。なお、第１および第２の操作部５，６の図示は省略するが、把持部２に着脱可能に設けてもよいが、筐体３１に着脱可能に設けてもよい。このように、把持部２が矩形状を有するため、持ちやすく、取り扱いやすい。
【００３０】
［第７の実施の形態］
図８は、本発明の第７の実施の形態に係る表示装置を示し、（ａ）は、把持部を収納した状態を示す平面図、（ｂ）は、把持部を引き出した状態を示す平面図である。この表示装置１は、第１の実施の形態とは、把持部２が表示部３内に収納可能に構成されている点において異なり、他の点については第１の実施の形態と同様である。
【００３１】
この把持部２を使用しない場合は、把持部２は、表示部３内に収納しておき、つまみ２ａのみを外部から見える状態とする。使用時は、つまみ２ａを持って把持部２を表示部３から図８（ｂ）中の矢印方向に引き出し、把持部２と筐体３１との間に手指を挿入できる間隙を形成する。
【００３２】
第７の実施に形態によれば、把持部２を表示部３内に収納するため、出っ張り部分が少なくなるので、持ち運びが容易となる。
【００３３】
［第８の実施の形態］
図９は、本発明の第８の実施の形態に係る表示装置を示し、（ａ）は、把持部を表示部の背面側に折り返した状態を示す平面図、（ｂ）は、把持部を把持できる位置に拡げた状態を示す平面図、（ｃ）は、表示面側から見た平面図である。
【００３４】
この表示装置１は、第１の実施の形態とは、コ字状を有する把持部２の各端部２ｂに取り付けられたピン１１と、表示部３の裏面に設けられ、ピン１１を回動自在に支持するピン受１０，１０とを備える点において異なり、他の点においては、第１の実施の形態と同じである。
【００３５】
この把持部２を図９（ａ）に示すように表示部３の裏面側に折り返した状態から図９（ｂ）に示すように把持部２を拡げるには、把持部２を手指等で引き起こして同図（ｂ）の矢印方向に回動すればよい。把持部２を図９（ａ）に示すように表示部３の裏面側に折り返す場合は、把持部２を手指等で摘んで同図（ａ）の矢印方向に回動すればよい。
【００３６】
第８の実施の形態によれば、ユーザーが表示装置を使用しないときには把持部２を表示部３の裏面側に折り返しておくことができるため、表示装置１を保管する場合、把持部２が邪魔にならず、狭い保管場所でも収納することができる。
【００３７】
なお、ピン受１０、１０は、表示部３の裏面の上下側、または表示部３の上下左右の各端面に設けてもよい。また、ピン１１とピン受け１０との間にバネ等の弾性材を取り付け、外力がかからない状態では把持部２が格納状態に安定するようにすることもできる。この場合には、ユーザーが表示装置１を使用する際、バネ等の弾力に抗して把持部２を表示装置１の両側に拡げて把持することになる。また、把持部２を表示装置１の両側に拡げた状態で保持し、表示部３の背面側へ収納されないようにロックするようにしてもよい。
【００３８】
［第９の実施の形態］
図１０は、本発明の第８の実施の形態に係る表示装置を示し、（ａ）は、保護カバーにより表示部の表示面を覆った状態の平面図、（ｂ）は、保護カバーを開いた状態の平面図である。
【００３９】
この表示装置１は、第１の実施の形態とは、把持用穴２１を有し、表示部３の表示面を保護する保護カバー２０を表示部３に対し回動自在に取り付けた点において異なり、他の点においては、第１の実施の形態と同じである。
【００４０】
保護カバー２０は、一端に凸部２２を形成し、凸部２２にピン１１を設けている。表示部３には、凹部２３が設けられ、凹部２３に凸部２２が挿入されている。筐体３１の凹部２３側には図示しないピン受が形成され、ピン受にピン１１が挿入され、観音開きを構成する。
【００４１】
この表示装置１を使用するには、図１０（ａ）に示す状態から、ユーザは、把持用穴２１に手指をかけ、同図（ｂ）に示す矢印の方向に保護カバー２０を回動し、表示部３の表示面を出現させる。保護カバー２０で表示部３の表示面を覆うには、図１０（ｂ）に示す状態から、把持用穴２１に手指をかけ、同図（ａ）に示す矢印の方向に保護カバー２０を回動する。
【００４２】
第９の実施の形態によれば、ユーザーが表示装置１を使用しないときには保護カバー２０により表示部３の表示面側を保護することができるため、表示部３の表示面にホコリが付着しない。また、表示装置１を保管する場合、筐体３１の外形から出っ張り部分がないため、狭い保管場所でも収納することができる。
【００４３】
なお、ピン１１と保護カバー２０または筐体３１との間にバネ等の弾性材を取り付け、外力がかからない状態では、保護カバ−２０を閉じた状態または保護カバー２０を開いた状態でロックできるようにしてもよい。
【００４４】
［第１０の実施の形態］
図１１は、本発明の第１０の実施の形態に係る表示装置を示し、（ａ）は、保護カバーにより表示部の表示面を覆った状態の平面図、（ｂ）は、保護カバーを開いた状態の平面図である。
【００４５】
この表示装置１は、第１の実施の形態とは、把持用穴２１を有し、表示部３の表示面を保護する保護カバー２０を表示部３にスライド自在に取り付けた点において異なり、他の点においては、第１の実施の形態と同じである。
【００４６】
この表示装置１を使用するには、図１１（ａ）に示す状態から、ユーザは、把持用穴２１に手指をかけ、同図（ｂ）に示す矢印の方向に保護カバー２０をスライドさせ、保護カバー２０，２０間に表示部３の表示面を出現させる。
【００４７】
第１０の実施の形態によれば、ユーザーが表示装置１を使用しないときには保護カバー２０により表示部３の表示面側をカバーすることができるため、表示部３の表示面にホコリが付着しない。また、表示装置１を保管する場合、筐体３１の外形から出っ張り部分がないため、狭い保管場所でも収納することができる。
【００４８】
［他の実施の形態］
なお、本発明は、上記各実施の形態に限定されず、その要旨を変更しない範囲内で種々な変形が可能である。例えば、各実施の形態間の構成要素の組合せは任意に行うことができる。
【００４９】
また、把持部２を木材により構成すると、木材の吸湿性が良好なため、発汗時においても握り手が滑りにくくなる。また、把持部２の表面の塗装を表面が微小な凹凸になる塗装材や塗装方法にすることで、発汗時においても握りにくくならない。
【００５０】
また、把持部２は、空隙部に手指を挿入して手指でつかむことができるものであれば、その形状は問わない。例えば、Ｌ字状のもの、把持部２に握りやすくするために凹凸を設けたものであってもよい。
【００５１】
また、表示部として、上記ＬＣＤ（液晶ディスプレイ）の他に、ＥＬＤ（エレクトロルミネッセンスディスプレイ）、ＰＤＰ（プラズマディスプレイ）、ＶＦＤ（蛍光表示管ディスプレイ）、ＬＥＤ（発光ダイオード）ディスプレイ、ＦＥＤ（電界放出ディスプレイ）等のフラットディスプレイを用いてもよい。
【００５２】
また、紙のように見やすい表示や無電源での表示維持性を目指した各種電子ペーパ技術、例えば、ＥＰＩＤ（電気泳動表示素子）、トナーディスプレイ、コレステリック液晶ディスプレイ、強誘電液晶ディスプレイ、ＥＣＤ（エレクトロクロミックディスプレイ）、エレクトロデポジション、Ｔｗｉｓｔｉｎｇ  Ｂａｌｌ  Ｄｉｓｐｌａｙ等に適用することができる。
【図面の簡単な説明】
【００５３】
【図１】本発明の第１の実施の形態に係る表示装置を示し、（ａ）は、平面図、（ｂ）は、（ａ）のＡ−Ａ線に沿う断面図である。
【図２】本発明の第１の実施の形態に係る表示装置の配置例を示す平面図である。
【図３】本発明の第２の実施の形態に係る表示装置を示す平面図である。
【図４】本発明の第３の実施の形態に係る表示装置を示し、（ａ）は、分離状態の把持部および表示部をそれぞれ示す平面図、（ｂ）は、それらの組立状態を示す平面図、（ｃ）は、（ｂ）のＢ−Ｂ線に沿う断面図である。
【図５】本発明の第４の実施の形態に係る表示装置を示す平面図である。
【図６】本発明の第５の実施の形態に係る表示装置を示す平面図である。
【図７】本発明の第６の実施の形態に係る表示装置を示す平面図である。
【図８】本発明の第７の実施の形態に係る表示装置を示し、（ａ）は、把持部を収納した状態を示す平面図、（ｂ）は、把持部を引き出した状態を示す平面図である。
【図９】本発明の第８の実施の形態に係る表示装置を示し、（ａ）は、把持部を表示部の背面側に折り返した状態を示す平面図、（ｂ）は、把持部を把持できる位置に拡げた状態を示す平面図、（ｃ）は、表示面側から見た平面図である。
【図１０】本発明の第９の実施の形態に係る表示装置を示し、（ａ）は、保護カバーにより表示部の表示面を覆った状態の平面図、（ｂ）は、保護カバーを開いた状態の平面図である。
【図１１】本発明の第１０の実施の形態に係る表示装置を示し、（ａ）は、保護カバーにより表示部の表示面を覆った状態の平面図、（ｂ）は、保護カバーを開いた状態の平面図である。
【符号の説明】
【００５４】
１  表示装置
２  把持部
２ａ  つまみ
３，３Ａ，３Ｂ，３Ｃ，３Ｄ，３Ｅ  表示部
４  接合部
４ａ  係合穴
５  第１の操作部
６  第２の操作部
７  電源スイッチ
８  タッチパネル用ペン
１０  ピン受
１１  ピン
２０  保護カバー
２１  把持用穴
２２  凸部
２３  凹部
３１  筐体
３１ａ  係合部
３１ｂ  係合面
３２  タッチパネル
３４  導光板
３５  制御基板
３６  蛍光管
４０  仕切り
５１  トラックボール
５２  マウスボタン
６１  十文字キー
【図１】
2005331668.tif 000003
【図２】
2005331668.tif 000004
【図３】
2005331668.tif 000005
【図４】
2005331668.tif 000006
【図５】
2005331668.tif 000007
【図６】
2005331668.tif 000008
【図７】
2005331668.tif 000009
【図８】
2005331668.tif 000010
【図９】
2005331668.tif 000011
【図１０】
2005331668.tif 000012
【図１１】
2005331668.tif 000013